(57)【要約】      （修正有）【課題】シールド部が回動可能な装着時の利便性を向上させたフェイスシールドを提供する。【解決手段】使用者の頭部に装着され使用者の顔面前方を被覆する合成樹脂製のフェイスシールドであって、全体ベルト状に形成され、使用者の頭部に巻装される固定ベルト部１１と、固定ベルト部に回動可能に組み付けられるシールド部１２とを備え、固定ベルト部には係合部が設けられ、シールド部には係合部に係合する係止部が設けられ、係止部は一対の孔部からなり、係合部は、固定ベルト部の長さ方向に互いに離間して２か所に形成された係合片部からなり、係合片部は、固定ベルト部の長さ方向における反対方向へ先端部が配置された一対の切り起し片部からなり、切り起し片部を切り起して孔部内に挿通させて孔部の縁部に係止させ、シールド部を固定ベルト部に対して回動可能に固定する。【選択図】図１
0003227908.tif 000002
【実用新案登録請求の範囲】
【請求項１】
使用者の頭部に装着され使用者の顔面前方を被覆する合成樹脂製のフェイスシールドであって、
全体ベルト状に形成され、使用者の頭部に巻装される固定ベルト部と、前記固定ベルト部に回動可能に組み付けられるシールド部とを備え、
前記固定ベルト部には係合部が設けられると共に、前記シールド部には前記係合部に係合する係止部が設けられ、
前記係止部は一対の孔部からなると共に、前記係合部は、前記固定ベルト部の長さ方向において互いに離間して２か所に形成された係合片部からなり、
前記係合片部は、前記固定ベルト部の長さ方向における反対方向へ先端部が配置されるように設けられた一対の切り起し片部からなり、
前記一対の切り起し片部を切り起して前記孔部内に挿通させて前記孔部の縁部に係止させることにより前記シールド部を前記固定ベルト部に対して回動可能に固定することを特徴とするフェイスシールド。
【請求項２】
前記孔部は平面多角形状に形成されると共に、前記一対の切り起し片部の基端部間の幅寸法は前記孔部の径寸法と同一に形成され、前記一対の切り起し片部は前記孔部に挿通され、前記孔部外方へ折り曲げられることにより、前記シールド部は前記固定ベルト部に回動可能に固定されることを特徴とする請求項１記載のフェイスシールド。
【請求項３】
前記孔部は平面正六角形状に形成されると共に、前記切り起し片部の幅寸法は前記孔部の各辺部の幅寸法と同一に形成されていることを特徴とする請求項１記載のフェイスシールド。
【請求項４】
前記固定ベルト部の一端部には係合部が設けられると共に、他端部には前記係合部が着脱可能に挿通して係合する係止孔部が設けられていることを特徴とする請求項１記載のフェイスシールド。
【請求項５】
前記固定ベルト部は、ベルト部本体と、前記ベルト部本体の幅方向の両端部に長さ方向に連続して形成された凸部とを有し、前記係止孔部の幅寸法は前記ベルト部本体の幅寸法と同一に形成されていることを特徴とする請求項４記載のフェイスシールド。
【請求項６】
前記固定ベルト部は長さ方向中間部において２つ折りに折り曲げ可能に形成されていることを特徴とする請求項１記載のフェイスシールド。
【考案の詳細な説明】
【技術分野】
【０００１】
本考案は、フェイスシールドに係り、特に、シールド部を回動可能とするフェイスシールドに関する。
【背景技術】
【０００２】
一般に、フェイスシールドは、ウイルス飛沫、花粉、埃等から使用者の顔面を保護するためのものである。
特許文献１には、この種のフェイスシールドとして、手術時に飛散する血液や体液が顔面に付着しないようにした顔面ガードフレームが記載されている。
【０００３】
しかしながら、このような従来からのフェイスシールドにあっては、シールド部が回動不可能であり、装着時の利便性に欠ける場合がある、という事情があった。
【先行技術文献】
【特許文献】
【０００４】
【特許文献１】実用新案登録第３１９４８６５号公報
【考案の概要】
【考案が解決しようとする課題】
【０００５】
本考案はこのような不具合を解決するためのものであって、その課題は、装着時の利便性を向上させることができるフェイスシールドを提供することにある。
【課題を解決するための手段】
【０００６】
上記課題達成のため、請求項１記載の考案にあっては、使用者の頭部に装着され使用者の顔面前方を被覆する合成樹脂製のフェイスシールドであって、全体ベルト状に形成され、使用者の頭部に巻装される固定ベルト部と、前記固定ベルト部に回動可能に組み付けられるシールド部とを備え、前記固定ベルト部には係合部が設けられると共に、前記シールド部には前記係合部に係合する係止部が設けられ、前記係止部は一対の孔部からなると共に、前記係合部は、前記固定ベルト部の長さ方向において互いに離間して２か所に形成された係合片部からなり、前記係合片部は、前記固定ベルト部の長さ方向における反対方向へ先端部が配置されるように設けられた一対の切り起し片部からなり、前記一対の切り起し片部を切り起して前記孔部内に挿通させて前記孔部の縁部に係止させることにより前記シールド部を前記固定ベルト部に対して回動可能に固定することを特徴とする。
従って、本考案に係るフェイスシールドにあっては、固定ベルト部の係合部にシールド部の係止部を係合させることにより、固定ベルト部とシールド部とを組み立て可能であり、一対の切り起し片部を切り起して孔部内に挿通させて孔部の縁部に係止させることにより、装着時には、シールド部を固定ベルト部に対して回動可能とすることができる。
【０００７】
請求項２記載の考案にあっては、前記孔部は平面多角形状に形成されると共に、前記一対の切り起し片部の基端部間の幅寸法は前記孔部の径寸法と同一に形成され、前記一対の切り起し片部は前記孔部に挿通され、前記孔部外方へ折り曲げられることにより、前記シールド部は前記固定ベルト部に回動可能に固定されることを特徴とする。
従って、本考案に係るフェイスシールドにあっては、切り起し片部は孔部内に挿通された後、孔部の縁部に当接してシールド部は回動可能となる。
【０００８】
請求項３記載の考案にあっては、前記孔部は平面正六角形状に形成されると共に、前記切り起し片部の幅寸法は前記孔部の各辺部の幅寸法と同一に形成されていることを特徴とする。
従って、本考案に係るフェイスシールドにあっては、六角形状の孔部の各辺部に沿ってクリック感を以て、夫々、所定角度で固定した状態での回動が可能となる。
【０００９】
請求項４記載の考案にあっては、前記固定ベルト部の一端部には係合部が設けられると共に、他端部には前記係合部が着脱可能に挿通して係合する係止孔部が設けられていることを特徴とする。
従って、本考案に係るフェイスシールドにあっては、固定ベルト部の巻き付け固定が可能となる。
【００１０】
請求項５記載の考案にあっては、前記固定ベルト部は、ベルト部本体と、前記ベルト部本体の幅方向の両端部に長さ方向に連続して形成された凸部とを有し、前記係止孔部の幅寸法は前記ベルト部本体の幅寸法と同一に形成されていることを特徴とする。
従って、本考案に係るフェイスシールドにあっては、係止孔部に凸部を差し込むことによりワンタッチでの挿通固定が可能であり、連続して形成された凸部によって固定ベルト部の長さ調節が可能となる。
【００１１】
請求項６記載の考案にあっては、前記固定ベルト部は長さ方向中間部において２つ折りに折り曲げ可能に形成されていることを特徴とする。
従って、本考案に係るフェイスシールドにあっては、非使用時に固定ベルト部を折り畳んでシールド部と共に収納可能であり、収納スペースを取らない。
【考案の効果】
【００１２】
請求項１記載の考案にあっては、使用者の頭部に装着され使用者の顔面前方を被覆する合成樹脂製のフェイスシールドであって、全体ベルト状に形成され、使用者の頭部に巻装される固定ベルト部と、前記固定ベルト部に回動可能に組み付けられるシールド部とを備え、前記固定ベルト部には係合部が設けられると共に、前記シールド部には前記係合部に係合する係止部が設けられ、前記係止部は一対の孔部からなると共に、前記係合部は、前記固定ベルト部の長さ方向において互いに離間して２か所に形成された係合片部からなり、前記係合片部は、前記固定ベルト部の長さ方向における反対方向へ先端部が配置されるように設けられた一対の切り起し片部からなり、前記一対の切り起し片部を切り起して前記孔部内に挿通させて前記孔部の縁部に係止させることにより前記シールド部を前記固定ベルト部に対して回動可能に固定しており、固定ベルト部の係合部にシールド部の係止部を係合させることにより、固定ベルト部とシールド部とを組み立て可能であり、一対の切り起し片部を切り起して孔部内に挿通させて孔部の縁部に係止させることにより、装着時には、シールド部を固定ベルト部に対して回動可能とすることができる。
【００１３】
従って、従来とは異なり、装着時には、シールド部を固定ベルト部に対して回動可能とすることができるため、フェイスシールドを装着したままの状態で休憩時にシールド部を開閉したり、フェイスシールドを装着したままの状態でシールド部を開けて眼鏡等を装着したりすることができ、フェイスシールドの着脱の面倒を回避して、装着時の利便性を向上させることができる。
【００１４】
請求項２記載の考案にあっては、前記孔部は平面多角形状に形成されると共に、前記一対の切り起し片部の基端部間の幅寸法は前記孔部の径寸法と同一に形成され、前記一対の切り起し片部は前記孔部に挿通され、前記孔部外方へ折り曲げられることにより、前記シールド部は前記固定ベルト部に回動可能に固定されることから、切り起し片部は孔部内に挿通された後、孔部の縁部に当接してシールド部は回動可能となるため、切り起し片部を孔部内に挿通させることにより簡単にフェイスシールドを組み立てることができ、切り起し片部を孔部の縁部に当接させることによりシールド部が固定ベルト部に対して滑らかに回動可能となる。
【００１５】
請求項３記載の考案にあっては、前記孔部は平面正六角形状に形成されると共に、前記切り起し片部の幅寸法は前記孔部の各辺部の幅寸法と同一に形成されていることから、六角形状の孔部の各辺部に沿ってクリック感を以て、夫々、所定角度で固定した状態での回動が可能となるため、所定角度刻み（６０度刻み）でシールド部を開閉させることができる。
【００１６】
請求項４記載の考案にあっては、前記固定ベルト部の一端部には係合部が設けられると共に、他端部には前記係合部が着脱可能に挿通して係合する係止孔部が設けられていることから、固定ベルト部の巻き付け固定が可能となるため、使用者の頭部に固定ベルト部を巻き付けるだけで簡単にフェイスシールドを固定することができる。
【００１７】
請求項５記載の考案にあっては、前記固定ベルト部は、ベルト部本体と、前記ベルト部本体の幅方向の両端部に長さ方向に連続して形成された凸部とを有し、前記係止孔部の幅寸法は前記ベルト部本体の幅寸法と同一に形成されていることから、係止孔部に凸部を差し込むことによりワンタッチでの挿通固定が可能であり、連続して形成された凸部によって固定ベルト部の長さ調節が可能となるため、固定ベルト部の長さを自在に調整することができ、使い勝手の良いフェイスシールドを提供することができる。
【００１８】
請求項６記載の考案にあっては、前記固定ベルト部は長さ方向中間部において２つ折りに折り曲げ可能に形成されていることから、非使用時に固定ベルト部を折り畳んでシールド部と共に収納可能であり、収納スペースを取らないため、長さの長い固定ベルト部であってもコンパクトに保管することができる。
【図面の簡単な説明】
【００１９】
【図１】本考案に係るフェイスシールドの一実施の形態における使用例を示す図であり、（Ａ）はシールド部を閉じている状態を示し、（Ｂ）はシールド部を開いている状態を示している。
【図２】本考案に係るフェイスシールドの一実施の形態における固定ベルト部を示す正面図であり、（Ａ）は固定ベルト部を真っすぐに伸ばした状態を示し、（Ｂ）は固定ベルト部を２つ折りにした状態を示している。
【図３】本考案に係るフェイスシールドの一実施の形態におけるシールド部を示す正面図である。
【図４】本考案に係るフェイスシールドの一実施の形態における固定ベルト部とシールド部との組み立て方法を示す図である。
【図５】本考案に係るフェイスシールドの一実施の形態における固定ベルト部とシールド部との組み立て方法の詳細を示す図である。
【図６】本考案に係るフェイスシールドの一実施の形態における固定ベルト部の使用方法を示す図であり、（Ａ）は固定方法を示し、（Ｂ）はサイズ調節方法を示している。
【考案を実施するための形態】
【００２０】
以下、本考案に係る一実施の形態について、図面を参照しながら説明する。
図１に示すように、本実施の形態に係るフェイスシールド１０は、使用者Ｕの頭部Ｈに装着され使用者Ｕの顔面前方を被覆する合成樹脂製のフェイスシールド１０であって、全体ベルト状に形成され、使用者Ｕの頭部Ｈに巻装される固定ベルト部１１と、固定ベルト部１１に回動可能に組み付けられるシールド部１２とを備えている。
【００２１】
図２及び図３に示すように、固定ベルト部１１には係合部１３が設けられると共に、シールド部１２には係合部１３に係合する係止部１４が設けられている。
係止部１４は一対の孔部１５、１６からなると共に、係合部１３は、固定ベルト部１１の長さ方向において互いに離間して２か所に形成された係合片部１７、１８からなる。
係合片部１７、１８は、固定ベルト部１１の長さ方向における反対方向へ先端部が配置されるように設けられた一対の切り起し片部１７ａ、１７ｂ、１８ａ、１８ｂからなる。各切り起し片部１７ａ、１７ｂ、１８ａ、１８ｂは、夫々Ｕの字状の切り込みによって形成されている。切り起し片部１７ｂ、１８ｂは、Ｕの字の湾曲部分の先端が固定ベルト部１１の一端部に向かうように配置されており、切り起し片部１７ａ、１８ａは、Ｕの字の湾曲部分の先端が固定ベルト部１１の他端部に向かうように配置されている。
【００２２】
一対の切り起し片部１７ａ、１７ｂ、１８ａ、１８ｂを切り起して孔部１５、１６内に挿通させて孔部１５、１６の縁部に係止させることによりシールド部１２を固定ベルト部１１に対して回動可能に固定する。
従って、本実施の形態に係るフェイスシールド１０にあっては、装着時には、シールド部１２を固定ベルト部１１に対して回動可能とすることができる。これにより、図１（Ａ）に示すシールド部１２を閉じた状態と、図１（Ｂ）に示すシールド部１２を開いた状態とに移行可能な開閉型のフェイスシールド１０を提供することができる。
【００２３】
図２及び図３に示すように、孔部１５、１６は平面多角形状に形成されると共に、一対の切り起し片部１７ａ、１７ｂ、１８ａ、１８ｂの基端部間の幅寸法Ｌ１は孔部１５、１６の径寸法Ｌ２と同一に形成され、一対の切り起し片部１７ａ、１７ｂ、１８ａ、１８ｂは孔部１５、１６に挿通され、孔部１５、１６外方へ折り曲げられることにより、シールド部１２は固定ベルト部１１に回動可能に固定される。
従って、本実施の形態に係るフェイスシールド１０にあっては、一対の切り起し片部１７ａ、１７ｂ、１８ａ、１８ｂは孔部１５、１６内に挿通された後、孔部１５、１６の縁部に当接してシールド部１２は回動可能となる。
【００２４】
孔部１５、１６は平面正六角形状に形成されると共に、切り起し片部１７ａ、１７ｂ、１８ａ、１８ｂの幅寸法Ｌ３は孔部１５、１６の各辺部１５ａ、１６ａの幅寸法Ｌ４と同一に形成されている。
従って、本実施の形態に係るフェイスシールド１０にあっては、六角形状の孔部１５、１６の各辺部１５ａ、１６ａに沿ってクリック感を以て、夫々、６０度の角度で固定した状態での回動が可能となる。
【００２５】
図２に示すように、固定ベルト部１１の一端部には係合部１９が設けられると共に、他端部には係合部１９が着脱可能に挿通して係合する係止孔部２０が設けられている。
従って、本実施の形態に係るフェイスシールド１０にあっては、図１に示すように、使用者Ｕの頭部Ｈに対して、固定ベルト部１１の巻き付け固定が可能となる。
図２に示すように、固定ベルト部１１は、ベルト部本体２１と、ベルト部本体２１の幅方向の両端部に長さ方向に連続して形成された凸部２２とを有し、係止孔部２０の幅寸法Ｌ５は凸部２２が形成されている部分のベルト部本体２１の幅寸法Ｌ６と同一に形成されている。
従って、本実施の形態に係るフェイスシールド１０にあっては、係止孔部２０に凸部２２を有する係止孔部２０を差し込むといったワンタッチでの挿通固定が可能であり、連続して形成された凸部２２によって固定ベルト部１１の長さ調節が可能となる。
また、固定ベルト部１１は長さ方向中間部に折り線２３があり、折り線２３において２つ折りに折り曲げ可能に形成されている。
従って、本実施の形態に係るフェイスシールド１０にあっては、非使用時に固定ベルト部１１を折り畳んでシールド部１２と共に収納可能であり、収納スペースを取らない。
【００２６】
固定ベルト部１１の長さ方向（図２（Ａ）の左右方向）の寸法は６２．６ｃｍであり、固定ベルト部１１の幅方向（図２（Ａ）の上下方向）の寸法は４．０ｃｍである。シールド部１２の長さ方向（図３の左右方向）の寸法は３１．０ｃｍであり、シールド部１２の幅方向（図３の上下方向）の寸法は２５．０ｃｍである。フェイスシールド１０の素材となる合成樹脂には、０．３ｍｍの高透明ポリプロピレン樹脂を用いている。フェイスシールド１０の重量は２６ｇ程度である。
【００２７】
次に、固定ベルト部１１とシールド部１２との組み立て方法について説明する。
固定ベルト部１１とシールド部１２との組み立て方法は、図４（Ａ）に示すように、シールド部１２の上部左右に形成されている平面正六角形状の孔部１５、１６に、固定ベルト部１１の一対の切り起し片部１７ａ、１７ｂ、１８ａ、１８ｂを切り起して孔部１５、１６内に挿通させて孔部１５、１６の縁部に係止させる。一対の切り起し片部１７ａ、１７ｂは、矢印Ａ方向に孔部１５に挿通させ、一対の切り起し片部１８ａ、１８ｂは、矢印Ｂ方向に孔部１６に挿通させる。
【００２８】
そうすると、図４（Ｂ）に示すように、固定ベルト部１１の一対の切り起し片部１７ａ、１７ｂ、１８ａ、１８ｂが、シールド部１２の孔部１５、１６に差し込まれ、シールド部１２が固定ベルト部１１に対して回動可能に固定される。切り起し片部１７ｂと切り起し片部１８ａとの間隔は、孔部１５と孔部１６との間隔よも狭いため、固定ベルト部１１にシールド部１２を取り付けると、シールド部１２が自然と湾曲し、簡単にシールド部１２の湾曲面を作り出すことができる。
【００２９】
一対の切り起し片部１７ａ、１７ｂをシールド部１２の孔部１５に挿通させる際には、図５（Ａ）に示すように、最初に矢印Ｃ方向に左側の切り起し片部１７ａを孔部１５に挿通させ、図５（Ｂ）に示すように、次に矢印Ｄ方向に右側の切り起し片部１７ｂを少し持ち上げるようにして孔部１５に挿通させて、一対の切り起し片部１７ａ、１７ｂをシールド部１２の孔部１５に引っ掛ける。なお、特に図示していないが、一対の切り起し片部１８ａ、１８ｂについても同様に、シールド部１２の孔部１６に引っ掛ける。
【００３０】
次に、固定ベルト部１１の固定方法について説明する。
固定ベルト部１１の固定方法は、図６（Ａ）に示すように、固定ベルト部１１の係止孔部２０に、凸部２２が形成されている部分のベルト部本体２１を矢印Ｅ方向に向かって挿通させる。ベルト部本体２１の先端を係止孔部２０に挿通させた後にベルト部本体２１を軽く引っ張ると、ベルト部本体２１が係止孔部２０に挿通させやすくなる。
【００３１】
サイズ調節方法は、図６（Ｂ）に示すように、凸部２２が形成されている部分のベルト部本体２１を、どの程度、係止孔部２０に挿通させるかによって調節することができる。調節の段階は、長さ方向に連続して配置された凸部２２の数に対応する７段階の調節が可能であり、使用者Ｕの頭部Ｈのサイズに合わせて好みのサイズに調節することができる。凸部２２は、挿通方向における前方側に傾斜部を有し、後方側に直線部を有する三角形状となっているため、係止孔部２０に挿通させ易く、係止孔部２０から抜け難くすることができる。
【００３２】
以上説明したように、本実施の形態に係るフェイスシールド１０にあっては、従来とは異なり、装着時には、シールド部１２を固定ベルト部１１に対して回動可能とすることができるため、フェイスシールド１０を装着したままの状態で休憩時にシールド部１２を開閉したり、フェイスシールド１０を装着したままの状態でシールド部１２を開けて眼鏡等を装着したりすることができ、フェイスシールド１０の着脱の面倒を回避して、装着時の利便性を向上させることができる。
【００３３】
また、本実施の形態に係るフェイスシールド１０にあっては、切り起し片部１７ａ、１７ｂ、１８ａ、１８ｂは孔部１５、１６内に挿通された後、孔部１５、１６の縁部に当接してシールド部１２は回動可能となるため、切り起し片部１７ａ、１７ｂ、１８ａ、１８ｂを孔部１５、１６内に挿通させることにより簡単にフェイスシールド１０を組み立てることができ、切り起し片部１７ａ、１７ｂ、１８ａ、１８ｂを孔部１５、１６の縁部に当接させることによりシールド部１２が固定ベルト部１１に対して滑らかに回動可能となる。
【００３４】
さらに、本実施の形態に係るフェイスシールド１０にあっては、六角形状の孔部１５、１６の各辺部１５ａ、１６ａに沿ってクリック感を以て、夫々、所定角度で固定した状態での回動が可能となるため、所定角度刻み（６０度刻み）でシールド部１２を開閉させることができる。
【００３５】
さらにまた、本実施の形態に係るフェイスシールド１０にあっては、固定ベルト部１１の巻き付け固定が可能となるため、使用者Ｕの頭部Ｈに固定ベルト部１１を巻き付けるだけで簡単にフェイスシールド１０を固定することができる。
【００３６】
その上、本実施の形態に係るフェイスシールド１０にあっては、係止孔部２０に凸部２２を差し込むことによりワンタッチでの挿通固定が可能であり、連続して形成された凸部２２によって固定ベルト部の長さ調節が可能となるため、固定ベルト部１１の長さを自在に調整することができ、使い勝手の良いフェイスシールド１０を提供することができる。
【００３７】
また、本実施の形態に係るフェイスシールド１０にあっては、非使用時に固定ベルト部１１を折り畳んでシールド部１２と共に収納可能であり、収納スペースを取らないため、長さの長い固定ベルト部１１であってもコンパクトに保管することができる。
【００３８】
さらに、本実施の形態に係るフェイスシールド１０にあっては、固定ベルト部１１とシールド部１２とが分かれているため、コンパクトに保管することができる。
さらにまた、本実施の形態に係るフェイスシールド１０にあっては、高透明ポリプロピレン樹脂を用いているため、視界がクリアである。
その上、本実施の形態に係るフェイスシールド１０にあっては、使い捨てタイプとすることができ、清潔で安全である。また、使用後は、このまま袋に入れて捨てることが可能である。
【００３９】
また、本実施の形態に係るフェイスシールド１０にあっては、シートの厚さが０．３ｍｍで軽く、適度な強度があり、使いやすい形態とすることができる。本実施の形態に係るフェイスシールド１０は、各工場や現場で使用されているヘアーキャップ等の上からも装着が可能であり、超軽量であるため、ずれにくいだけでなく、長時間の使用にも適している。
さらに、本実施の形態に係るフェイスシールド１０にあっては、ウイルス飛沫、花粉、埃等から使用者の顔面を保護することができると共に、医療機関、介護施設、行政・自治体施設、食品・工業関係の工場、接客・レジ等の対面現場等の様々な場面において利用可能である。
【００４０】
本実施の形態にあっては、孔部１５、１６は、平面正六角形状の例で説明したが、本実施の形態に限定されず、その他の多角形状であってもよく、円形状であってもよい。固定ベルト部１１は、係合部１９と係止孔部２０とにより固定する例で説明したが、本実施の形態に限定されず、ボタンや切り込み等によって固定するものであってもよい。フェイスシールド１０の素材や寸法は、あくまで例示であり、本実施の形態に限定されるものではない。
【産業上の利用可能性】
【００４１】
本考案はフェイスシールドに係ることから、広く産業上の利用可能性を有している。
【符号の説明】
【００４２】
１０  フェイスシールド
１１  固定ベルト部
１２  シールド部
１３  係合部
１４  係止部
１５  孔部
１５ａ  辺部
１６  孔部
１６ａ  辺部
１７  係合片部
１７ａ  切り起し片部
１７ｂ  切り起し片部
１８  係合片部
１８ａ  切り起し片部
１８ｂ  切り起し片部
１９  係合部
２０  係止孔部
２１  ベルト部本体
２２  凸部
２３  折り線
Ｕ  使用者
Ｈ  頭部
Ａ  矢印
Ｂ  矢印
Ｃ  矢印
Ｄ  矢印
Ｅ  矢印
【図１】
0003227908.tif 000003
【図２】
0003227908.tif 000004
【図３】
0003227908.tif 000005
【図４】
0003227908.tif 000006
【図５】
0003227908.tif 000007
【図６】
0003227908.tif 000008